(57)【要約】  【課題】  １画面出力、複数画面出力における各画面出力モードにそれぞれ対応した映像信号を同時に出力するような場合であっても、各モードでの適切なコピー制御処理を行う映像処理装置を提供する。【解決手段】  画面出力モード、録画出力モードにおいて２画面設定であるモードの場合には、合成する２つの番組データのトランスポートストリーム（ＴＳ）間でコピー条件を比較する。条件が一致したとき（即ち優先順位が一致したとき）は、そのコピー条件によるコピー制御設定をコピー制御ブロック１１０に対して行う。コピー条件が異なっている場合は、より優先順位の高い(厳しい条件)コピー条件によるコピー制御設定をコピー制御ブロック１１０に対して行う。【選択図】      図１
2006339746.tif 000002
【特許請求の範囲】
【請求項１】
設定される合成モードに応じて、コピー制御情報を有する複数の動画コンテンツを縮小して１つの表示画面となるように合成した映像信号、または、前記複数の動画コンテンツの内から選択した１つの動画コンテンツのみの映像信号を出力映像信号とする合成手段であり、複数の前記合成モードが同時に設定された場合には、その複数の各合成モードに応じた複数の出力映像信号を送出する合成手段と、
前記各合成モードに応じて複数の前記コピー制御情報からそれぞれ１つの前記コピー制御情報を選択し、その選択した前記コピー制御情報に対応するコピー制御信号を、当該合成モードに応じた前記出力映像信号それぞれに付加する付加手段と、
を備え、
前記付加手段は、
前記合成モードが前記複数の動画コンテンツを縮小して１つの表示画面となるように合成するモードである場合、前記複数の動画コンテンツにおける各前記コピー制御情報の優先順位を比較して、優先順位が異なる場合は優先順位が最も高いコピー制御情報を選択し、優先順位がすべて同一の場合はその同一の優先順位のコピー制御情報を選択する手段である、
ことを特徴とする映像処理装置。
【発明の詳細な説明】
【技術分野】
【０００１】
本発明は、コピー制御情報を有する動画コンテンツを一画面上に複数合成して表示させるための映像処理装置に関するものである。
【背景技術】
【０００２】
近年、衛星TV放送や地上TV放送などがデジタル化され、その受信機もその両方が受信出来るものも多く存在する。その受信機の中には、特許文献１：特開２０００−２０９５２１に示されるような複数の番組を同時に表示する受信機もあり、多彩な形態でユーザが視聴出来る環境となった。その一方、デジタル放送で送られるコンテンツの著作権を保護することも重要な課題の一つとなっている。
【特許文献１】特開２０００−２０９５２１
【発明の開示】
【発明が解決しようとする課題】
【０００３】
従来のデジタル放送では、著作権保護に関して、有料放送等限られた放送でコピー制御情報を送信していたが、近年はすべての番組でコピー制御情報を送り、コピーの制限をかける方向となっている。
【０００４】
このようなコピー制御がかかった複数の各番組を縮小してそれぞれ子画面とし、複数の子画面を一画面に合成して表示（２画面表示、４画面表示等の合成モードでの表示）させることが考えられる。このとき、各番組のコピー制御情報が異なる場合にどのようなコピー制御をするかが課題（合成表示のための合成映像信号にどのようなコピー制御情報を付加するかが課題）であった。
【０００５】
また、異なる合成モードによる複数の合成映像信号を同時に出力するような場合に、どのようなコピー制御をするかが課題（各合成映像信号にどのようなコピー制御情報を付加するかが課題）であった。例えば、２画面表示用の合成映像信号と４画面表示用の合成映像信号とを同時に出力するような場合や、また、２画面表示用の合成映像信号を画面出力として出力し、それと同時に一つの番組の映像信号を録画出力として出力する場合に、どのようなコピー制御をするかが課題であった。
【０００６】
本発明は、異なるモードにそれぞれ対応した映像信号を同時に出力するような場合であっても、各モードでの適切なコピー制御処理を行う映像処理装置を提供することを目的とする。
【課題を解決するための手段】
【０００７】
そこで、上記目的を達成するために本発明は、下記の映像処理装置を提供するものである。
設定される合成モードに応じて、コピー制御情報を有する複数の動画コンテンツを縮小して１つの表示画面となるように合成した映像信号、または、前記複数の動画コンテンツの内から選択した１つの動画コンテンツのみの映像信号を出力映像信号とする合成手段であり、複数の前記合成モードが同時に設定された場合には、その複数の各合成モードに応じた複数の出力映像信号を送出する合成手段と、
前記各合成モードに応じて複数の前記コピー制御情報からそれぞれ１つの前記コピー制御情報を選択し、その選択した前記コピー制御情報に対応するコピー制御信号を、当該合成モードに応じた前記出力映像信号それぞれに付加する付加手段と、
を備え、
前記付加手段は、
前記合成モードが前記複数の動画コンテンツを縮小して１つの表示画面となるように合成するモードである場合、前記複数の動画コンテンツにおける各前記コピー制御情報の優先順位を比較して、優先順位が異なる場合は優先順位が最も高いコピー制御情報を選択し、優先順位がすべて同一の場合はその同一の優先順位のコピー制御情報を選択する手段である、
ことを特徴とする映像処理装置。
【発明の効果】
【０００８】
本発明によれば、各モードに応じて複数のコピー制御情報からそれぞれ１つのコピー制御情報を選択し、選択したコピー制御情報に対応するコピー制御信号を当該モードに応じた出力映像信号それぞれに付加するようにしている。よって、本発明は、異なるモードにそれぞれ対応した映像信号を同時に出力するような場合であっても、各モードに応じた適切なコピー制御処理を行うことができ、不正なコピーを防止して動画コンテンツの有効な保護を図ることができる。
【０００９】
例えば、設定されるモードＡにおいて一つの番組の映像信号を録画出力として出力し、その出力中にモードＢが設定されて２画面表示用の合成映像信号を画面出力として出力しても、本発明では、各モード毎にコピー制御処理が行えるので、録画出力に影響を与えないで画面出力に適切なコピー制御信号を付加できる。また、モードＢが設定されて２画面表示用の合成映像信号を画面出力として出力すると共に、モードＣが設定されて４画面表示用の合成映像信号を録画出力として出力する場合においても、２つの合成映像信号それぞれに適切なコピー制御信号を付加できる。
【発明を実施するための最良の形態】
【００１０】
［実施例］
本発明の映像処理装置の一実施例を図を用いて説明する。図１は、一実施例のブロック構成図である。
【００１１】
ＢＳデジタルＮＩＭ制御ブロック１０２と地上デジタルＮＩＭ制御ブロック１０３とは、アンテナ１０１より受信した信号を復調して番組データのトランスポートストリーム（ＴＳ）を出力する。なお、アンテナ１０１は、ＢＳデジタル用のアンテナと、地上デジタル用のアンテナとが別個に設けられているものを、便宜上、単一のアンテナとして示したものである。
【００１２】
1394制御ブロック１０４は、デジタルビデオレコーダであるＤ−ＶＨＳ１０５よりIEEE1394規格で入力された番組データのトランスポートストリーム（ＴＳ）を出力する。
全体制御ブロック１０８は、各番組データのＴＳを第１及び第２デコーダブロック１０６、１０７のどちらに入力するか選択する。２つのデコーダブロック１０６、１０７は、デマルチプレクサ及びＡＶデコーダの機能を併せ持つデコーダブロックである。例えば、第１デコーダブロック１０６にはＢＳデジタル、第２デコーダブロック１０７には地上デジタルの各番組データのＴＳが入力されるように設定する。
【００１３】
デコーダブロック１０６、１０７は、それぞれ入力された番組データのＴＳをデコードし、映像信号を画面合成ブロック１０９に出力する。画面合成ブロック１０９は、ユーザの画面出力設定、録画出力設定に基づき設定されるモードに応じて、２つの入力映像信号を縮小して１つの表示画面となるように合成した合成映像信号、または、２つの入力映像信号から選択した１つの入力映像信号を出力映像信号として送出する。複数のモードが同時に設定された場合には、その複数の各モードに応じた複数の出力映像信号を送出する。
【００１４】
例えば、画面出力設定のモードが複数画面出力であれば、図２のように、デコーダブロック１０６の出力映像信号を子画面１に、デコーダブロック１０７の出力映像信号を子画面２にそれぞれ縮小して１つの表示画面となるように合成した合成映像信号を出力する。録画出力設定のモードが地上デジタルの１番組出力（１画面設定）であれば、地上デジタルの番組を出力する側のデコーダブロックからの映像信号を選択して出力する。
【００１５】
コピー制御ブロック１１０は、全体制御ブロック１０８から指示されたコピー制御設定に基づき選択したコピー制御信号を、画面合成ブロックから出力された画面出力、録画出力に対して付加し、最終的な画面出力、録画出力として外部に出力する。
【００１６】
図３は、図１に示した全体制御ブロック１０８の動作を示す処理フローである。
全体制御ブロック１０８は、まず、ステップ３０１において、各デコーダブロック１０６、１０７への入力を設定する。ステップ３０２において、各デコーダブロックに再生を開始させる。
【００１７】
ステップ３０３において、画面合成ブロックに対し、設定した画面出力モード、録画出力モードに基づき、各モードにおいて１画面設定のときは、指定されたデコーダブロックの出力映像信号を出力させ、２画面設定（複数画面設定）の時は２つのデコーダブロックの出力映像信号を図２の表示画面となるように合成して出力する。なお、画面出力モードと録画出力モードとは、お互いに独立して１画面設定と２画面設定（複数画面設定）とを選択できる。よって、画面出力が２画面設定で、録画出力が１画面設定という組み合わせも当然可能である。
【００１８】
次に、全体制御ブロック１０８は、ステップ３０４において、各デコーダブロックから取得したコピー制御情報と、画面出力モード、録画出力モードとに基づき、コピー制御ブロック１１０に対してコピー制御設定を行う。
【００１９】
コピー制御情報は、番組データのトランスポートストリーム（ＴＳ）のＰＭＴというテーブル情報内にデジタルコピー制御記述子というものがあるので、これを各デコーダブロックで読み取ることにより取得する。
【００２０】
デジタルコピー制御記述子には、「コピー禁止」、「１回のみコピー可」、「コピーフリー」というコピーの制限種類（コピー条件）が指定されているものとする。なおこのような３段階のコピー制限種類のみならず、例えば「２回のみコピー可」や「所定の条件付きで１回のみコピー可」など、他の種類の条件をも含めてもよい。
【００２１】
これらのコピー制限種類（コピー条件）には、あらかじめ優先順位が付けられている。すなわち、「コピー禁止」、「１回のみコピー可」、「コピーフリー」の３段階の場合では、コピー禁止＞１回のみコピー可＞コピーフリーというように次第に優先順位が下がるような優先順位が付けてある。
【００２２】
画面出力モード、録画出力モードにおいて２画面設定であるモードの場合には、合成する２つの番組データのトランスポートストリーム（ＴＳ）間でコピー条件を比較する。条件が一致したとき（即ち優先順位が一致したとき）は、そのコピー条件によるコピー制御設定をコピー制御ブロック１１０に対して行う。コピー条件が異なっている場合は、より優先順位の高い(厳しい条件)方のコピー条件によるコピー制御設定をコピー制御ブロック１１０に対して行う。
【００２３】
具体的には、例えば２つの番組データのトランスポートストリーム（ＴＳ）のコピー条件がいずれも「１回のみコピー可」であれば、コピー条件として「１回のみコピー可」をコピー制御ブロック１１０に設定する。また、一方の番組データのトランスポートストリーム（ＴＳ）のコピー条件が「コピー禁止」であり、他方の番組データのトランスポートストリ（ＴＳ）のコピー条件が、「コピーフリー」であるときは、厳しい方の条件である「コピー禁止」をコピー条件としてコピー制御ブロック１１０に設定する。
【００２４】
画面出力モード、録画出力モードにおいて１画面設定であるモードの場合には、選択した側のデコーダブロックから取得したコピー制御情報に基づき、コピー制御ブロック１１０に対してコピー制御設定を行う。
【００２５】
コピー制御ブロック１１０は、画面出力モード、録画出力モードそれぞれに設定されたコピー制御設定に従い、コピー制御設定の指定するコピー条件に対応したコピー制御信号を画面出力映像信号、録画出力映像信号に合成し各出力映像信号を送出する。（ステップ３０５）
上記実施の形態は、２種類の動画コンテンツを一画面に合成する場合を例にとって説明したが、特許文献１に記載されているように３つ以上の動画コンテンツから３つ以上の動画コンテンツを選択して同時に一画面に合成して表示する場合にも、当然本発明は適用可能である。
【００２６】
３つ以上の動画コンテンツに適用した場合には、画面出力モード、録画出力モードにおいて複数画面設定であるモードが指定されたとき、全体制御ブロック１０８は、合成する複数の番組データのトランスポートストリーム（ＴＳ）間でコピー条件を比較する。条件が全て一致したとき（即ち優先順位が全て一致したとき）は、一致したそのコピー条件によるコピー制御設定をコピー制御ブロック１１０に対して行う。コピー条件が異なっている場合は、一番優先順位の高い(一番厳しい条件の)コピー条件によるコピー制御設定をコピー制御ブロック１１０に対して行う。
【００２７】
以上のことから、本発明では、例えば、一画面設定の録画出力モードにおいて一つの番組の映像信号を録画出力として出力し、その出力中に２画面設定の画面出力モードが指定されて２画面表示用の合成映像信号を画面出力として出力しても、各モード毎にコピー制御処理が行えるので、録画出力に影響を与えないで画面出力に適切なコピー制御信号を付加できる。また、２画面設定の画面出力モードが設定されて２画面表示用の合成映像信号を出力すると共に、４画面設定の録画出力モードが設定され４画面表示用の合成映像信号を出力する場合においても、２つの合成映像信号それぞれに適切なコピー制御信号を付加できる。
【図面の簡単な説明】
【００２８】
【図１】本発明の映像処理装置の一実施例を示すブロック図である。
【図２】一実施例による出力画面の一例を示す図である。
【図３】一実施例における全体制御ブロックの処理フローを示す図である。
【符号の説明】
【００２９】
１０１  アンテナ
１０２  ＢＳデジタルＮＩＭ制御ブロック
１０３  地上デジタルＮＩＭ制御ブロック
１０４  1394制御ブロック
１０５  Ｄ−ＶＨＳ
１０６  第１デコーダブロック
１０７  第２デコーダブロック
１０８  全体制御ブロック
１０９  画面合成ブロック
１１０  コピー制御ブロック
２０１  ２画面表示時の画面構成
【図１】
2006339746.tif 000003
【図２】
2006339746.tif 000004
【図３】
2006339746.tif 000005